(57)【要約】【課題】、複数のバスに出力する音信号のレベルを自動で制御することができる音信号処理装置及び音信号処理方法を提供する。情報表示装置、情報表示方法、及びプログラムを提供する。【解決手段】音信号処理装置は、第１バス４１と、第２バス４２と、第１レベル調整器３１と、操作部１７と、第２レベル調整器３２とを備える。第１レベル調整器３１は、第１バスに電気的に接続され、第１バス４１に第１出力信号を出力し、調整レベル（フェーダ値ＣＦ）に基づいて、入力される第１入力信号の信号レベルを制御する。第２レベル調整器３２は、第２バス４２に電気的に接続され、第２バス４２に第２出力信号を出力し、第１レベル調整器３１と連動して、入力された第２入力信号の信号レベルを制御する。  を備える、【選択図】図３
2019047423.tif 000002
【特許請求の範囲】
【請求項１】
第１出力信号を入力する第１バスと、
第２出力信号を入力する第２バスと、
前記第１バスに電気的に接続され、前記第１バスに前記第１出力信号を出力し、調整レベルに基づいて、入力される第１入力信号の信号レベルを制御する第１レベル調整器と、
前記第１レベル調整器に入力された第１入力信号の調整レベルを受け付ける操作部と、
前記第２バスに電気的に接続され、前記第２バスに前記第２出力信号を出力し、前記第１レベル調整器と連動して、入力された第２入力信号の信号レベルを制御する第２レベル調整器と、
を備える、
ことを特徴とする音信号処理装置。
【請求項２】
前記第２レベル調整器は、前記第２入力信号の信号レベルを制御するレベル制御回路を備える、
ことを特徴とする請求項１に記載の音信号処理装置。
【請求項３】
前記第２レベル調整器は、前記第２入力信号をオンオフするスイッチング回路を備える、
ことを特徴とする請求項１又は２の音信号処理装置。
【請求項４】
前記第２レベル調整器は、前記第１レベル調整器から出力された前記第１出力信号がレベル制御閾値よりも小さい場合、前記第１レベル調整器の前記調整レベルに応じて、入力された前記第２入力信号を制御するように構成されている、
ことを特徴とする請求項１乃至３のいずれか一項に記載の音信号処理装置。
【請求項５】
前記第２レベル調整器は、前記第１レベル調整器から出力された前記第１出力信号がスイッチング閾値よりも小さい場合、前記第２入力信号をオフするように構成されている、
ことを特徴とする請求項１乃至４のいずれか一項に記載の音信号処理装置。
【請求項６】
特性制御回路を更に備え、
前記特性制御回路は、前記第１レベル調整器と電気的に接続され、前記第１レベル調整器に前記第１入力信号を出力し、前記第２レベル調整器と電気的に接続され、前記第２レベル調整器に前記第２入力信号を出力するように構成される、
ことを特徴とする請求項１乃至５のいずれか一項に記載の音信号処理装置。
【請求項７】
前記特性制御回路は、圧縮回路を有し、
前記第２レベル調整器は、前記圧縮回路の入力側に電気的に接続され、前記圧縮回路に入力される信号を前記第２入力信号として受け付けるように構成されている、
ことを特徴とする請求項６に記載の音信号処理装置。
【請求項８】
前記特性制御回路は、圧縮回路を有し、
前記第２レベル調整器は、前記圧縮回路の出力側に電気的に接続され、前記圧縮回路から出力される信号を前記第２入力信号として受け付けるように構成されている、
ことを特徴とする請求項６に記載の音信号処理装置。
【請求項９】
前記第２入力信号は、前記第１レベル調整器が出力した前記第１出力信号である、
ことを特徴とする請求項１乃至６のいずれか一項に記載の音信号処理装置。
【請求項１０】
操作部で調整レベルを受け付け、
前記調整レベルに基づいて、第１入力信号の信号レベルを制御し、
制御された前記第１入力信号を出力信号として第１バスに出力し、
前記出力信号と連動して、第２バスに出力される第２入力信号の信号レベルを制御する、
ことを特徴とする音信号処理方法。
【発明の詳細な説明】
【技術分野】
【０００１】
この発明は、音信号処理装置及び音信号処理方法に関し、特に、音量を制御する音信号処理装置及び音信号処理方法に関する。
【背景技術】
【０００２】
特許文献１に記載の音響信号処理装置は、接続されたフェーダ等のミキサの各機能に応じて、自動的に所望の設定を行う音響処理装置である。
【０００３】
特許文献１に記載の音響信号処理装置は、例えばマイク又は楽器等の機器から入力される音響信号を各チャンネルに割り当て、チャンネル毎に信号レベル（ボリューム値）などの様々なパラメータを制御する。特許文献１に記載の音響信号処理装置のミキサは、複数の入力端子及び出力端子を有する。各入力端子には、例えば、キーボード、又はギター、等の各楽器又はマイクから、音響信号が入力される。また、出力端子からは、上記入力された音響信号を電気的に加算及び加工した音響信号が出力される。
【先行技術文献】
【特許文献】
【０００４】
【特許文献１】特開２０１７−６９８４８号公報
【発明の概要】
【発明が解決しようとする課題】
【０００５】
ところで、特許文献１に記載の音響信号処理装置のミキサ（音信号処理装置）では、複数のチャンネル（例えば、楽器及びマイク）毎に出力した音響信号（音信号）を、複数のバスに出力するように構成されている。しかしながら、このような音信号処理装置では、複数のバスのそれぞれに対して異なるレベル（音量）の音信号を出力する場合、チャンネル毎に複数のバスのそれぞれを個々に制御しなければならない場合があった。
【０００６】
そこで、本発明は、複数のバスに出力する音信号のレベルを自動で制御することができる音信号処理装置及び音信号処理方法を提供することを目的とする。
【課題を解決するための手段】
【０００７】
このように、音信号処理装置は、第１出力信号を入力する第１バスと、第２出力信号を入力する第２バスと、第１レベル調整器と、操作部と、第２レベル調整器とを備える。前記第１レベル調整器は、前記第１バスに電気的に接続され、前記第１バスに前記第１出力信号を出力し、調整レベルに基づいて、入力される第１入力信号の信号レベルを制御する。前記操作部は、前記第１レベル調整器に入力された第１入力信号の調整レベルを受け付ける。前記第２レベル調整器は、前記第２バスに電気的に接続され、前記第２バスに前記第２出力信号を出力し、前記第１レベル調整器と連動して、入力された第２入力信号の信号レベルを制御する。
【発明の効果】
【０００８】
音信号処理装置及び音信号処理方法は、複数のバスに出力する音信号のレベルを自動で制御することができる。
【図面の簡単な説明】
【０００９】
【図１】音信号処理装置の構成を示すブロック図である。
【図２】音信号処理装置の操作パネルの要部の一例を説明する説明図である。
【図３】ＣＰＵ、波形Ｉ／Ｏ及び信号処理部で実行される信号処理機能を示すブロック図である。
【図４】入力チャンネルｉの一例を示すブロック構成図である。
【図５】図５（Ａ）は第１入力信号及び第２入力信号の動作の一例を説明する説明図であり、図５（Ｂ）は第１閾値のみを使用した場合の第１出力信号及び第２出力信号の動作の一例を説明する説明図であり、図５（Ｃ）は第２閾値のみを使用した場合の第１出力信号及び第２出力信号の動作の一例を説明する説明図である。
【図６】入力チャンネルｉの音信号処理方法を示すフローチャートである。
【図７】変形例１に係る入力チャンネルｉの要部の一例を示すブロック構成図である。
【図８】変形例２に係る入力チャンネルｉの要部の一例を示すブロック構成図である。
【図９】変形例３に係る入力チャンネルｉの音信号処理装置の動作を示すフローチャートである。
【発明を実施するための形態】
【００１０】
図１は、音信号処理装置１（オーディオミキサ）の構成を示すブロック図である。音信号処理装置１は、表示器１１と、記憶部１２と、ＣＰＵ１３と、ＲＡＭ１４と、波形Ｉ／Ｏ１５と、信号処理部１６と、操作部１７と、その他Ｉ／Ｏ１８と、を備えている。これらの構成は、バスを介して互いに電気的に接続されている。
【００１１】
表示器１１は、例えばＬＣＤ（Liquid Crystal Display）からなり、種々の情報を表示する。また、表示器１１は、ＧＵＩ（Graphical User Interface）画面を表示して、ユーザの操作を受け付けてもよい。
【００１２】
記憶部１２は、記憶媒体、例えばフラッシュメモリ、である。記憶部１２には、種々のプログラム、レベル制御閾値Ｔ１（以下、第１閾値Ｔ１と呼ぶ）及びスイッチング閾値Ｔ２（以下、第２閾値Ｔ２と呼ぶ）が記憶されている。なお、第１閾値Ｔ１は、第２閾値Ｔ２よりも高い値である。
【００１３】
ＣＰＵ１３は、音信号処理装置１の動作を制御する。ＣＰＵ１３は、記憶部１２に記憶されている種々のプログラムをＲＡＭ１４に読み出して実行することにより各種の動作を行う。例えば、ＣＰＵ１３は、波形Ｉ／Ｏ１５における音信号の入出力、及び信号処理部１６におけるミキシング処理並びにエフェクト処理の制御を行う。また、ＣＰＵ１３は、これら処理に関連するパラメータの値の変更等を行う。
【００１４】
波形Ｉ／Ｏ１５は、例えば、楽器及びマイク等の入出力装置と有線又は無線で電気的に接続されている。波形Ｉ／Ｏ１５は、１乃至複数のＡ／Ｄコンバータ及び１乃至複数のＤ／Ａコンバータを備える。波形Ｉ／Ｏ１５は、入出力装置のそれぞれから入力されたアナログ信号をデジタル信号に変換し、変換された信号を信号処理部１６に送信する。また、波形Ｉ／Ｏ１５は、信号処理部１６で処理されたデジタル信号を受信してアナログ信号に変換し、変換された信号を入出力装置に送信する。なお、入出力装置のそれぞれには、少なくとも１つのチャンネルが割り当てられている。
【００１５】
信号処理部１６は、複数のＤＳＰで構成されている。信号処理部１６は、ミキシング処理及びエフェクト処理等の各種信号処理を行う。信号処理部１６は、波形Ｉ／Ｏ１５の１乃至複数のＡ／Ｄコンバータを介して供給される音信号に、イコライジング等の特性調整処理、ミキシング処理、エフェクト処理等の信号処理を施す。信号処理部１６は、信号処理後のデジタル音信号を波形Ｉ／Ｏ１５のＤ／Ａコンバータを介して入出力装置に出力する。
【００１６】
操作部１７は、後に説明する操作パネル６の複数種の操作子によって構成されている（図２参照）。操作部１７は、ユーザによって操作された操作子から、各種操作を受け付ける。
【００１７】
その他Ｉ／Ｏ１８は、外部の機器と電気的に接続されており、必要に応じて、信号を送受信する。
【００１８】
ここで、操作パネル６について説明する。図２は、操作パネル６の要部の一例を示す説明図である。操作パネル６には、複数のチャンネルに一対一で対応する複数のチャンネルストリップ６１を有している。複数のチャンネルストリップ６１のそれぞれには、フェーダ６１１、スイッチ６１２、セレクタスイッチ（ＳＥＬ）６１４及びノブ６１３が縦（図２において下側から上側に向かって）に並んで配置されている。
【００１９】
フェーダ６１１は、つまみ（フェーダ位置）をストリップに沿って動作させることで、対応する音信号のレベル変化をさせる。また、スイッチ６１２はオルタネイト式スイッチである。ノブ６１３は、時計回り又は反時計回りに動かされることで、例えば、対応する音信号のレベルを変化させる。セレクトスイッチ６１４は、押下される毎に、対応する操作子の機能及び状態を変化させる。
【００２０】
また、操作パネル６には、第１バス４１の出力側に対応するチャンネルストリップ６２を有する。チャンネルストリップ６２には、チャンネルストリップ６１と同様の操作子が配置されている。なお、操作パネル６は、図２で示される形態に限定されず、図２で示される操作子以外でも、タッチパネル、ノブ及びスイッチ等が設けられていてもよい。
【００２１】
図３は、ＣＰＵ１３、波形Ｉ／Ｏ１５及び信号処理部１６で実行される信号処理機能２を示す等価ブロック図である。信号処理機能２は、図３に示すように、入力パッチ（入力端子）２１、複数（例えば、３２）の入力チャンネルｉで構成される入力チャンネル３、第１バス４１及び複数（例えば、１６）の出力チャンネルｊで構成される第２バス４２を備える。さらに、信号処理機能２は、第１バス４１に対応する第１出力チャンネル５１、第２バス４２に対応する複数（例えば、１６）の出力チャンネルｊで構成される第２出力チャンネル５２及び出力パッチ（出力端子）２２を備える。
【００２２】
入力パッチ２１は、１乃至複数の入出力装置から音信号を受け取る。
【００２３】
入力チャンネル３の各入力チャンネルｉには、入力パッチ２１から音信号が供給される。入力チャンネル３は、操作部１７で受け付けた音信号の調整レベルなどを基に、入力パッチに供給された音信号を信号処理する。そして、入力チャンネル３は、信号処理後の音信号を、第１バス４１及び第２バス４２のいずれか又は両方に選択的に送出する。
【００２４】
第１バス４１は、入力チャンネル３から供給された音信号を、例えば、チャンネルストリップ６２に配置されている操作子から受け付けた信号を基に、それぞれミキシングし、第１出力チャンネル５１へ出力する。
【００２５】
第１出力チャンネル５１は、入力された音信号に対して、イコライジング及び圧縮処理等の信号処理を施す。信号処理を施された後の音信号は、出力パッチ２２（波形Ｉ／Ｏ１５）へ送出される。
【００２６】
第２バス４２は、入力チャンネル３から供給された音信号を、例えば、チャンネルストリップ６２に配置される操作子から受け付けた信号を基に、それぞれミキシングして、第２出力チャンネル５２へ出力する。
【００２７】
第２出力チャンネル５２は、複数の出力チャンネルｊのそれぞれに入力された音信号に対して、イコライジング及び圧縮処理等の特性調整処理を施す。信号処理を施された後の音信号は、出力パッチ２２（波形Ｉ／Ｏ１５）へ送出される。
【００２８】
出力パッチ２２は、入出力装置、例えば、スピーカ及びヘッドフォンと電気的に接続されている。出力パッチ２２は、入出力装置のそれぞれに対応する音信号を出力する。
【００２９】
図４は、ある入力チャンネルｉの一例を示すブロック構成図である。各入力チャンネルｉは、図４に示すように、特性制御回路３０、第１レベル調整器３１、複数の第２レベル調整器３２を備えている。また、各入力チャンネルｉは、スイッチＴｏ１、パニングブロックＰＡＮ１及び複数のセレクタＰＰ１を更に備えている。
【００３０】
特性制御回路３０は、第１レベル調整器３１と電気的に接続されている。特性制御回路３０は、第１レベル調整器３１に第１入力信号を出力するように構成されている。特性制御回路３０は、イコライザ３０１及び圧縮回路３０２などで構成されている。特性制御回路３０は、入力パッチ２１から供給された音信号に対してイコライジング及び圧縮処理等の処理を施す。
【００３１】
第１レベル調整器３１は、第１バス４１に電気的に接続され、第１バス４１に第１出力信号を出力する。第１レベル調整器３１は、ユーザの操作による調整レベルに基づいて、入力された第１入力信号の信号レベルを制御する。言い換えると、第１レベル調整器３１には、操作部１７で受け付けられた第１入力信号の調整レベル（フェーダ値ＣＦ（ｉ））が入力される。
【００３２】
第１レベル調整器３１は、図４に示すように、レベル制御回路３１１及びスイッチング回路３２２とで構成される。レベル制御回路３１１は、例えば、図２で示される、操作パネル６のフェーダ６１１に対応する。また、スイッチング回路３１２は、例えば、図２で示される、操作パネル６のスイッチ６１２に対応する。
【００３３】
第１レベル調整器３１には、特性制御回路３０によって処理が施された第１入力信号が入力される。第１レベル調整器３１は、フェーダ値ＣＦ（ｉ）に基づいて、第１入力信号のレベルを連続的（線形）に調整する。つまり、第１レベル調整器３１は、フェーダ値ＣＦ（ｉ）に基づいて、第１出力値のゲイン値ＭＶ（ｉ）を調整する。また、ＣＰＵ１３は、ユーザがスイッチ６１２をオンオフすることで、第１入力信号をオンオフ制御する。なお、本実施形態の音信号処理装置１において、フェーダ６１１のフェーダ値ＣＦ（ｉ）の可変範囲を、−∞ｄＢ~＋６ｄＢとする。ただし、フェーダ値ＣＦ（ｉ）の可変範囲は上述に限定されない。
【００３４】
第１レベル調整器３１は、さらに、図４に示すように、スイッチＴｏ１及びパニングブロックＰＡＮ１を介して第１バス４１に第１出力信号を出力する。なお、スイッチＴｏ１は、操作パネル６の操作子（例えば、スイッチ）に対応し、第１レベル調整器３１と第１バス４１との接続をオンオフ制御する。パニングブロックＰＡＮ１は、第１バス４１に送出する第１出力信号のバランスを調整する。パニングブロックＰＡＮ１は、操作パネル６のノブ６１３（図４参照）に対応する。ユーザは、操作パネル６のノブ６１３を時計回り又は反時計回りに回転することで、第１バス４１に送出される第１出力信号のバランスを調整する。
【００３５】
第２レベル調整器３２は、第２バス４２に電気的に接続されている。第２レベル調整器３２は、第２バス４２に第２出力信号を出力する。より詳細には、複数の第２レベル調整器３２は、第２バス４２の複数の出力チャンネルｊと一対一に電気的に接続されている。複数の第２レベル調整器３２のそれぞれは、対応する出力チャンネルｊに第２出力信号を出力する。さらに、複数の第２レベル調整器３２のそれぞれは、第２入力信号の信号レベルを制御するレベル制御回路３２１を備えている。また、複数の第２レベル調整器３２のそれぞれは、第２入力信号をオンオフするスイッチング回路３２２を備えている。これにより、複数の第２レベル調整器３２は、出力チャンネルｊ毎に第２入力信号の信号レベルを制御することができる。
【００３６】
複数の第２レベル調整器３２のそれぞれのレベル制御回路３２１は、操作パネル６のフェーダ６１１に対応する。また、複数の第２レベル調整器３２のそれぞれのスイッチング回路３２２は、操作パネル６のスイッチ６１２に対応する。
【００３７】
複数の第２レベル調整器３２のそれぞれは、フェーダ６１１のつまみ（フェーダ位置）が動かされることで、フェーダ値ＳＬ（ｉ，ｊ）に基づいて、第２入力信号を連続的（線形）に調整する。また、第２レベル調整器３２は、ユーザがスイッチ６１２をオンオフ操作することで、第２入力信号をオンオフ制御する。
【００３８】
ところで、セレクトスイッチ６１４は、図２に示すように、入力チャンネルｉ毎に、フェーダ６１１及びスイッチ６１２の対応先（第１レベル調整器３１に対応している状態又は複数の第２レベル調整器３２に対応している状態）を切り替える。より詳細には、例えば、フェーダ６１１がレベル制御回路３１１に対応している状態で、ユーザがセレクトスイッチ６１４を一回押下すると、フェーダ６１１の対応先は、レベル制御回路３１１からレベル制御回路３２１に変更される。また、スイッチ６１２がスイッチング回路３１２に対応している状態で、ユーザがセレクトスイッチ６１４を一回押下すると、スイッチ６１２の対応先は、スイッチング回路３１２からスイッチング回路３２２に変更される。
【００３９】
また、セレクトスイッチ６１４は、第２バス４２の出力チャンネルｊを切り替えるように構成されていてもよい。例えば、ユーザがセレクトスイッチ６１４を押下する毎に、フェーダ６１１及びスイッチ６１２は、第１レベル調整器３１に対応している状態から出力チャンネル（ｊ＝１）の第２レベル調整器３２に対応する状態に切り替わる。ユーザがセレクトスイッチ６１４をさらに押下すると、フェーダ６１１及びスイッチ６１２は、出力チャンネル（ｊ＝１）の第２レベル調整器３２に対応する状態から出力チャンネル（ｊ＝２）の第２レベル調整器３２に対応する状態に切り替わる。これにより、操作部１７は、入力チャンネルｉ毎に設けられている１つのフェーダ６１１及び１つのスイッチ６１２で第１レベル調整器３１及び各出力チャンネルｊの第２レベル調整器３２に対する操作を受け付けることができる。
【００４０】
複数の第２レベル調整器３２のそれぞれは、図４に示すように、特性制御回路３０と、複数の第２レベル調整器３２のそれぞれに対応するセレクタＰＰ１を介して電気的に接続されている。複数の第２レベル調整器３２のそれぞれは、特性制御回路３０から出力される信号を第２入力信号として受け取るように構成されている。
【００４１】
複数のセレクタＰＰ１のそれぞれは、一極双投式のスイッチである。複数のセレクタＰＰ１の一極側は、第２レベル調整器３２と一対一で電気的に接続されている。また、複数のセレクタＰＰ１のそれぞれの双投側の一端は、特性制御回路３０と接続されている。さらに、複数のセレクタＰＰ１のそれぞれの双投側の他端は、第１レベル調整器３１の出力側と接続されている。つまり、第２入力信号は、特性制御回路３０が出力した信号又は、第１レベル調整器３１が出力した信号である。音信号処理装置１は、各入力チャンネルｉにおいて、セレクタＰＰ１を使用して、第２入力信号の入力先を択一的に選択することができる。言い換えると、各入力チャンネルｉにおいて、第２バス４２に出力される第２出力信号は、第１レベル調整器３１を回避することも可能である。
【００４２】
なお、第２レベル調整器３２がセレクタＰＰ１を介して、特性制御回路３０に接続されている場合、状態Ｐｒｅ（ｊ）を１とする。一方、第２レベル調整器３２がセレクタＰＰ１を介して第１レベル調整器３１の出力側に接続されている場合、状態Ｐｒｅ（ｊ）を０とする。
【００４３】
ところで、複数の第２レベル調整器３２のそれぞれは、第１レベル調整器３１と連動して、入力された第２入力信号のレベル（ゲイン値ＣＶ（ｉ、ｊ））を制御する。より詳細には、各入力チャンネルｉにおいて、複数の第２レベル調整器３２のそれぞれは、入力される第２入力信号のレベルを、第１レベル調整器３１のフェーダ値ＣＦ（ｉ）に連動して制御する。言い換えると、複数の第２レベル調整器３２のそれぞれは、調整レベル（フェーダ値ＣＦ（ｉ））に連動して、第２出力信号のレベル（ゲイン値ＣＶ（ｉ、ｊ））を調整する。
【００４４】
そこで、記憶部１２には、予め、第１閾値Ｔ１及び第２閾値Ｔ２が記憶されている。第２レベル調整器３２は、第１レベル調整器３１から出力された信号が第１閾値Ｔ１よりも小さい場合、第１レベル調整器３１から出力された信号のレベルに応じて、入力された第２入力信号を制御する。また、第２レベル調整器３２は、第１レベル調整器３１から出力された信号が第２閾値Ｔ２よりも小さい場合、第２入力信号をオフする。
【００４５】
図５（Ａ）は、第１出力信号及び第２出力信号の動作の一例を説明する説明図である。図５（Ｂ）は、第１閾値Ｔ１のみを使用した場合の第１出力信号及び第２出力信号の動作の一例を説明する説明図である。図５（Ｃ）は、第２閾値Ｔ２のみを使用した場合の第１出力信号及び第２出力信号の動作の一例を説明する説明図である。なお、第１出力信号は、図５（Ａ）、図５（Ｂ）及び図５（Ｃ）において、実線で示されている。また、第２出力信号は、図５（Ａ）、図５（Ｂ）及び図５（Ｃ）において、破線で示されている。
【００４６】
各入力チャンネルｉにおいて、スイッチ６１２がオン状態の場合、第１出力信号のゲイン値ＭＶ（ｉ）は、図５（Ａ）、図５（Ｂ）及び図５（Ｃ）に示すように、フェーダ６１１の操作によるフェーダ値ＣＦ（ｉ）に応じて連続的（線形）に変化する。
【００４７】
ここで、図５（Ａ）で示す第２入力信号について説明する。各入力チャンネルｉにおいて、図５（Ａ）に示すように、第２出力信号のゲイン値ＣＶ（ｉ、ｊ）は、フェーダ値ＣＦ（ｉ）が第１閾値Ｔ１以上の場合、フェーダ値ＳＬ（ｉ、ｊ）に基づいた値（例えば、第２出力信号のゲイン値ＣＶ（ｉ，ｊ）は、フェーダ値ＳＬ（ｉ，ｊ）と出力側ゲイン値ＳＯ（ｉ，ｊ）とを加算した値）である。フェーダ値ＣＦ（ｉ）が第１閾値Ｔ１よりも小さく、かつ第２閾値Ｔ２以上の場合、第２出力信号のゲイン値ＣＶ（ｉ、ｊ）は、フェーダ値ＣＦ（ｉ）に基づいた値（例えば、第２出力信号のゲイン値ＣＶ（ｉ，ｊ）は、フェーダ値ＣＦ（ｉ）と出力側ゲイン値ＳＯ（ｉ，ｊ）とを加算した値）である。フェーダ値ＣＦ（ｉ）が第２閾値Ｔ２よりも小さい場合、第２出力信号のゲイン値ＣＶ（ｉ、ｊ）は、−∞ｄＢになる。なお、出力側ゲイン値ＳＯ（ｉ，ｊ）は、第２出力チャンネル５２などでゲイン制御される値である。
【００４８】
例えば、ユーザがフェーダ値ＣＦ（ｉ）を第１閾値Ｔ１よりも小さくになるようにフェーダ６１１のフェーダ位置を動かす。この場合、フェーダ値ＣＦ（ｉ）が第１閾値Ｔ１よりも小さくなると、第２出力信号のゲイン値ＣＶ（ｉ、ｊ）がフェーダ値ＳＬ（ｉ，ｊ）に基づいた値からフェーダ値ＣＦ（ｉ）に基づいた値に切り替わる。さらに、ユーザがフェーダ値ＣＦ（ｉ）を第２閾値Ｔ２よりも小さくなるようにフェーダ６１１のフェーダ位置を動かす。この場合、フェーダ値ＣＦ（ｉ）が第２閾値Ｔ２よりも小さくなると、第２出力信号のゲイン値ＣＶ（ｉ、ｊ）は、−∞ｄＢになる。
【００４９】
図５（Ｂ）で示す第２出力信号について説明する。各入力チャンネルｉにおいて、図５（Ｂ）に示すように、第２出力信号のゲイン値ＣＶ（ｉ、ｊ）は、フェーダ値ＣＦ（ｉ）が第１閾値Ｔ１よりも大きい場合、フェーダ値ＳＬ（ｉ、ｊ）に基づいた値である。フェーダ値ＣＦ（ｉ）が第１閾値Ｔ１よりも小さい場合、第２出力信号のゲイン値ＣＶ（ｉ、ｊ）は、フェーダ値ＣＦ（ｉ）に基づいた値になる。例えば、ユーザがフェーダ値ＣＦ（ｉ）を第１閾値Ｔ１よりも小さくになるようにフェーダ６１１のフェーダ位置を動かす。この場合、フェーダ値ＣＦ（ｉ）が第１閾値Ｔ１よりも小さくなると、第２出力信号のゲイン値ＣＶ（ｉ、ｊ）は、フェーダ値ＣＦ（ｉ）と出力側ゲイン値ＳＯ（ｉ，ｊ）とを加算した値になる。
【００５０】
さらに、図５（Ｃ）で示す第２入力信号について説明する。各入力チャンネルｉにおいて、図５（Ｃ）に示すように、第２出力信号のゲイン値ＣＶ（ｉ、ｊ）は、フェーダ値ＣＦ（ｉ）が第２閾値Ｔ２以上の場合、フェーダ値ＳＬ（ｉ、ｊ）に基づいた値である。フェーダ値ＣＦ（ｉ）が第２閾値Ｔ２よりも小さい場合、第２出力信号のゲイン値ＣＶ（ｉ、ｊ）は、−∞になる。例えば、ユーザがフェーダ値ＣＦ（ｉ）を第２閾値Ｔ２よりも小さくなるようにフェーダ６１１のフェーダ位置を動かす。この場合、フェーダ値ＣＦ（ｉ）が第２閾値Ｔ２よりも小さくなると、第２出力信号のゲイン値ＣＶ（ｉ、ｊ）は、−∞になる。
【００５１】
このように、第２出力信号のゲイン値ＣＶ（ｉ、ｊ）は、フェーダ値ＣＦ（ｉ）によって変化する。つまり、第２出力信号を制御する第２レベル調整器３２は、第１出力信号を制御する第１レベル調整器３１に連動する。これにより、第２レベル調整器３２では、個々に第２出力信号を制御する必要がなくなる。したがって、本実施形態の音信号処理装置１は、複数のバス（第２バス４２）に出力する音信号のレベル（ゲイン値）を自動で制御することができる。
【００５２】
例えば、本実施形態の音信号処理装置１の一態様として、音信号処理装置１が音響施設で使用され、第１バス４１が観客向けのスピーカに接続され、第２バス４２が演奏者のモニタスピーカに接続されている場合を想定する。オペレータがある入力チャンネルｉについて、観客向けのスピーカの音レベルを−∞（オフの状態）ｄＢにするために、第１バス４１に対応しているフェーダ６１１の入力チャンネルｉのフェーダ位置を−∞ｄＢに向かって動かす。従来、ある入力チャンネルｉの観客向けの音レベルが小さくされても、モニタスピーカの音レベルが変わらないため、演奏者は、入力チャンネルｉの音レベルが小さくなっていることを知ることができなかった。しかしながら、本実施形態の音信号処理装置１では、モニタスピーカの音レベル（フェーダ値ＳＬ（ｉ，ｊ））が観客向けのスピーカの音レベルと異なっていた場合でも、第２レベル調整器３２が第１レベル調整器３１と連動することで、演奏者は、観客向けのスピーカがオフの状態に操作されていることを知ることができる。
【００５３】
また、本実施形態の音信号処理装置１の別の態様として、音信号処理装置１が報道に使用され、第１バス４１が放送用の出力装置に接続され、第２バス４２が中継先のスピーカに接続されている場合を想定する。ここでも、第２レベル調整器３２が第１レベル調整器３１と連動することで、中継先の使用者は、放送用の出力装置がオフの状態に操作されていることを知ることができる。
【００５４】
なお、フェーダ値ＣＦ（ｉ）が第１閾値Ｔ１よりも小さくかつ第２閾値以上の場合、第２出力信号のゲイン値ＣＶ（ｉ、ｊ）は、フェーダ値ＣＦ（ｉ）に基づく値でなくてもよい。例えば、フェーダ値ＣＦ（ｉ）が第１閾値Ｔ１よりも小さくかつ第２閾値以上の場合、第２出力信号のゲイン値ＣＶ（ｉ、ｊ）は、第１出力信号のゲイン値ＭＶ（ｉ）の変化量に基づいて、変化するように構成されていてもよい。
【００５５】
また、第１出力チャンネル５１に入力された音信号は、例えば、操作パネル６のフェーダ６２１等の操作子が使用されることで制御され、出力側ゲイン値ＣＯ（ｉ）でゲイン制御される。さらに、第２出力チャンネル５２は、例えば、操作パネル６のフェーダ６２１等の操作子が使用されることで制御され、出力側ゲイン値ＳＯ（ｉ，ｊ）でゲイン制御される。なお、セレクトボタン（ＳＥＬ）６２２は、押下される毎に対応する操作子の機能及び状態を変化させる。
【００５６】
図６は、ある入力チャンネルｉの音信号処理方法を示すフローチャートである。本実施形態の音信号処理方法は、操作部１７で調整レベル（フェーダ値ＣＦ（ｉ））を受け付ける。また、音信号処理方法は、調整レベル（フェーダ値ＣＦ（ｉ））に基づいて、第１入力信号のレベルを制御する。さらに、音信号処理方法は、信号処理された第１入力信号を第１出力信号として第１バス４１に出力する。さらに、音信号処理方法は、第１出力信号と連動して、第２バス４２に出力される第２出力信号の音信号のレベルを制御する。
【００５７】
音信号処理方法の詳細について図６を参照して下記に説明する。なお、下記の説明は一例であって、音信号処理方法は、これに限定されるものでない。
【００５８】
まず、フェーダ値ＣＦ（ｉ）には、操作パネル６のフェーダ６１１のフェーダ位置に応じた値が入力される（ステップＳ１１）。第１出力信号のゲイン値ＭＶ（ｉ）には、フェーダ値ＣＦ（ｉ）と出力側ゲイン値ＣＯ（ｉ）とを加算した値が入力される（ステップＳ１２）。フェーダ値ＣＦ（ｉ）が第１閾値Ｔ１以上か否か判定される（ステップＳ１３）。フェーダ値ＣＦ（ｉ）が第１閾値Ｔ１以上の場合、（ステップＳ１３：Ｙｅｓ）、状態Ｐｒｅ（ｊ）が１であるセレクタＰＰ１と接続されている第２レベル調整器３２を対象に、第２信号のゲイン値ＣＶ（ｉ、ｊ）には、フェーダ値ＳＬ（ｉ、ｊ）と出力側ゲイン値ＳＯ（ｉ、ｊ）とを加算した値が入力される（ステップＳ１４）。そして、表示器１１の表示値、第１出力信号のゲイン値ＭＶ（ｉ）及び第２出力信号のゲイン値ＣＶ（ｉ）は、更新される（ステップＳ１５）。
【００５９】
また、フェーダ値ＣＦ（ｉ）が第１閾値Ｔ１よりも小さい場合、（ステップＳ１３：Ｎｏ）、フェーダ値ＣＦ（ｉ）が第２閾値Ｔ２よりも小さいか否か判定される（ステップＳ１６）。フェーダ値ＣＦ（ｉ）が第１閾値Ｔ１よりも小さく（ステップＳ１３：Ｎｏ）かつ第２閾値Ｔ２以上の場合、（ステップＳ１６：Ｎｏ）、状態Ｐｒｅ（ｊ）が１であるセレクタＰＰ１と接続されている第２レベル調整器３２を対象に、第２信号のゲイン値ＣＶ（ｉ、ｊ）には、フェーダ値ＣＦ（ｉ）と第２バス４２の出力側ゲイン値ＳＯ（ｉ、ｊ）とを加算した値が入力される（ステップＳ１７）。そして、処理は、ステップＳ１５に移行される。
【００６０】
さらに、フェーダ値ＣＦ（ｉ）が第１閾値Ｔ１よりも小さく、（ステップＳ１３：Ｎｏ）、かつフェーダ値ＣＦ（ｉ）が第２閾値Ｔ２よりも小さい場合、（ステップＳ１６：Ｙｅｓ）、状態Ｐｒｅ（ｊ）が１であるセレクタＰＰ１と接続されている第２レベル調整器３２を対象に、第２信号のゲイン値ＣＶ（ｉ、ｊ）には、−∞ｄＢが入力される（ステップＳ１８）。そして、処理は、ステップＳ１５に移行される。
【００６１】
このように、本実施形態の音信号処理方法では、例えば、ユーザがフェーダ値ＣＦ（ｉ）を第１閾値Ｔ１よりも小さくしていくと、第２出力信号のゲイン値ＣＶ（ｉ、ｊ）がフェーダ値ＣＦ（ｉ）と連動した値になる。さらに、ユーザがフェーダ値ＣＦ（ｉ）を第２閾値Ｔ２よりも小さくしていくと、第２出力信号のゲイン値ＣＶ（ｉ、ｊ）は−∞ｄＢになる（図５Ａ参照）。
【００６２】
このように、第２出力信号のゲイン値ＣＶ（ｉ、ｊ）は、フェーダ値ＣＦ（ｉ）によって変動する。つまり、第２出力信号を制御する第２レベル調整器３２は、第１出力信号を制御する第１レベル調整器３１に連動する。これにより、第２レベル調整器３２では、個々に第２出力信号のゲイン値ＣＶ（ｉ、ｊ）を制御する必要がなくなる。したがって、本実施形態の音信号処理方法は、複数のバス（第２バス４２）に出力する音信号のレベル（ゲイン値）を自動で制御することができる。
【００６３】
本実施形態の変形例１の音信号処理装置１について、図７を参照して説明する。図７は、変形例１に係る各入力チャンネルｉの要部の一例を示すブロック構成図である。変形例１では、図７に示すように、各入力チャンネルｉがスイッチＳＷ１を有している。
【００６４】
スイッチＳＷ１は、一極双投式のスイッチである。スイッチＳＷ１は、一極側は、第２レベル調整器３２とセレクタＰＰ１を介して電気的に接続されている。また、スイッチＳＷ１の双投側の一端は、圧縮回路３０２の入力側に電気的に接続されている。さらに、スイッチＳＷ１の双投側の他端は、圧縮回路３０２の出力側に電気的に接続されている。
【００６５】
この場合、ユーザは、スイッチＳＷ１を使用することで、第２入力信号を、圧縮回路３０２のプリフェーダ信号（前段の信号）及びポストフェーダ信号（後段の信号）のいずれかを択一的に選択することができる。これにより、本実施形態の変形例１の音信号処理装置１及び音信号処理方法では、フレキシブルな操作が可能となる。
【００６６】
また、本実施携帯の変形例２の音信号処理装置１について、図８を参照して説明する。図８は、変形例２に係る各入力チャンネルｉの要部の一例を示すブロック構成図である。変形例２では、図８に示すように、各入力チャンネルｉがセレクタＰＰ１の代わりにセレクタＰＰ２を有している。
【００６７】
セレクタＰＰ２は、一極３投式のスイッチである。セレクタＰＰ２の一極側は、第２レベル調整器３２に電気的に接続されている。また、セレクタＰＰ２の３投側のそれぞれの端は、イコライザ３０１、圧縮回路３０２及び第１レベル調整器３１のそれぞれの出力側と接続されている。
【００６８】
これにより、ユーザは、イコライザ３０１、圧縮回路３０２及び第１レベル調整器３１のいずれか１つを第２入力信号として択一的に選択することができる。言い換えると、第２レベル調整器３２は、イコライザ３０１、圧縮回路３０２及び第１レベル調整器３１のそれぞれの出力側から信号を受け取ることができる。これにより、本実施形態の変形例２の音信号処理装置１及び音信号処理方法では、フレキシブルな操作が可能となる。
【００６９】
また、本実施形態の変形例３の音信号処理装置１について、図９を参照して説明する。音信号処理装置１では、ＤＣＡ機能を使用して、複数の入力チャンネルｉの音信号のレベルを一括で操作してもよい。ＤＣＡ機能とは、所望の複数の入力チャンネルｉを１つのＤＣＡグループｇとして、そのＤＣＡグループｇの各入力チャンネルｉの信号レベルを、そのＤＣＡグループｇに対応する１つのフェーダ（ＤＣＡフェーダ）で制御するものである。これにより、音信号処理装置１及び音信号処理方法において、各入力チャンネルｉの出力チャンネルｊに対応する第２レベル調整器３２の第２出力信号のゲイン値ＣＶ（ｉ、ｊ）が一括で制御される。
【００７０】
具体的には、ＤＣＡフェーダによって設定されたＤＣＡフェーダ値ＤＣＡ（ｇ）を、グループ内の各入力チャンネルｉのフェーダ値ＳＬ（ｉ、ｊ）に加算する。加算された値が、グループ内の各入力チャンネルｉの第２出力信号のレベルとなる。ユーザは、例えば、タッチスクリーン等で入力チャンネルｉ毎に、複数の各ＤＣＡグループｇに属するか否かを予め又は適宜設定できる。操作部１７は、グループの個々の入力チャンネルｉにおける出力チャンネルｊの音信号の調整レベルを各入力チャンネルｉに対応するフェーダから受け付ける。これにより、ユーザは、チャンネル間の音量バランスを維持したまま、ＤＣＡフェーダによってそのグループ全体の音信号のレベルを調整できる。
【００７１】
図９は、変形例３に係る入力チャンネルｉの音信号処理装置１の動作を示すフローチャートである。変形例３の音信号処理装置１は、ＤＣＡ機能を使用して第２出力信号を制御する。
【００７２】
操作パネル６のフェーダ６１１のフェーダ位置に応じた値がフェーダ値ＳＬ（ｉ、ｊ）として受け付けられる（ステップＳ３１）。入力チャンネルｉがＤＣＡグループｇに含まれているか否か判定される（ステップＳ３２）。入力チャンネルｉがＤＣＡグループｇに含まれている場合（ステップＳ３２：Ｙｅｓ）、フェーダ値ＳＬ（ｉ、ｊ）とＤＣＡフェーダ値ＤＣＡ（ｇ）とを加算した値を第２出力信号のゲイン値ＣＶ（ｉ、ｊ）とする（ステップＳ３３）。
【００７３】
一方、入力チャンネルｉがＤＣＡグループｇに含まれていない場合（ステップＳ３２：Ｎｏ）、フェーダ値ＳＬ（ｉ、ｊ）を第２出力信号のゲイン値ＣＶ（ｉ、ｊ）とする（ステップＳ３４）。
【００７４】
これにより、本実施形態の変形例３の音信号処理装置１及び音信号処理方法において、ユーザは、チャンネル間の音量バランスを維持したまま、ＤＣＡフェーダによってそのグループ全体の音信号のレベルを調整できる。
【符号の説明】
【００７５】
１…音響処理装置
３０…特性制御回路
３１…第１レベル調整器
３２…第２レベル調整器
３２１…レベル制御回路
３２２…スイッチング回路
４１…第１バス
４２…第２バス
Ｔ１…第１閾値（レベル制御閾値）
Ｔ２…第２閾値（スイッチング閾値）
【図１】
2019047423.tif 000003
【図２】
2019047423.tif 000004
【図３】
2019047423.tif 000005
【図４】
2019047423.tif 000006
【図５】
2019047423.tif 000007
【図６】
2019047423.tif 000008
【図７】
2019047423.tif 000009
【図８】
2019047423.tif 000010
【図９】
2019047423.tif 000011